(57)【要約】【課題】室外からの生活音が聞こえ難い室内環境を実現するための暗騒音発生方法及び暗騒音発生装置を提供する。【解決手段】２４時間換気システムとして建物外部Ｆと室内Ｒとを連通させた給気孔１を介した自然給気を行うとともに排気ファンを使って強制排気を行う方式の建物において、給気孔１の内側に空気が通過する際の抵抗となる抵抗部２を設けるとともに、当該給気孔１における室内側の給気口３に給気ファン４を設けることにより、当該給気孔１を介して室内Ｒに流入する音の大きさを大きくするようにした。【選択図】図１
2018136091.tif 000002
【特許請求の範囲】
【請求項１】
２４時間換気システムとして建物外部と室内とを連通させた給気孔を介した自然給気を行うとともに排気ファンを使って強制排気を行う方式の建物において、
給気孔の内側に空気が通過する際の抵抗となる抵抗部を設けることにより、当該給気孔を介して室内に流入する音の大きさを大きくするようにしたことを特徴とする暗騒音発生方法。
【請求項２】
２４時間換気システムとして建物外部と室内とを連通させた給気孔を介した自然給気を行うとともに排気ファンを使って強制排気を行う方式の建物において、
給気孔における室内側の給気口に給気ファンを設けることにより、当該給気孔を介して室内に流入する音の大きさを大きくするようにしたことを特徴とする暗騒音発生方法。
【請求項３】
２４時間換気システムとして建物外部と室内とを連通させた給気孔を介した自然給気を行うとともに排気ファンを使って強制排気を行う方式の建物において、
給気孔の内側に空気が通過する際の抵抗となる抵抗部を設けるとともに、当該給気孔における室内側の給気口に給気ファンを設けることにより、当該給気孔を介して室内に流入する音の大きさを大きくするようにしたことを特徴とする暗騒音発生方法。
【請求項４】
建物外部と室内とを連通させるために建物に設けられた給気孔と、建物内部の空気を建物外部に排気するために排気ファンを用いた排気手段と、給気孔の内側に設けられて給気孔の内側に空気が通過する際の抵抗となる抵抗部とを備えたことを特徴とする暗騒音発生装置。
【請求項５】
給気孔における室内側の給気口に設けられた給気ファンを備えたことを特徴とする請求項４に記載の暗騒音発生装置。
【請求項６】
抵抗部は、
給気孔の建物外部側の給気口に近い位置に設けられた外部側抵抗板と、給気孔の室内側の給気口に近い位置に設けられた室内側抵抗板とを備え、
外部側抵抗板が空気抵抗となる遮断面を形成し、かつ、室内側抵抗板が外部側抵抗板による遮断面よりも大きい面積の遮断面を有するとともに、空気の流れを制限するスリットを有する構成としたことを特徴とする請求項４又は請求項５に記載の暗騒音発生装置。
【請求項７】
抵抗部は、
断面円形の給気孔の内径に対応した外径に形成された円筒体と、当該円筒体の建物外部側に位置される開口部側の内面に取付けられた外部側抵抗板と、当該円筒体の室内側に位置される開口部側の内面に取付けられた室内側抵抗板とを備え、
外部側抵抗板が、円筒体内の空気流路の半分を遮断する半円形板により形成され、
室内側抵抗板が、円筒体の円の中心からずれた位置を中心とする円形孔と、円形孔の外周囲に形成された複数の円弧状のスリットとを備えるとともに、円筒体の内周面との間に円弧状の隙間による複数のスリットを形成する外周面を備えた円形状板により形成されたことを特徴とする請求項４又は請求項５に記載の暗騒音発生装置。
【請求項８】
抵抗部は、
断面円形の給気孔の建物外部側の内面に取付けられた外部側抵抗板と、給気孔の室内側の内面に取付けられた室内側抵抗板とを備え、
外部側抵抗板が、給気孔の空気流路の半分を遮断する半円形板により形成され、
室内側抵抗板が、給気孔の円の中心からずれた位置を中心とする円形孔と、円形孔の外周囲に形成された複数の円弧状のスリットとを備えるとともに、給気孔の内周面との間に円弧状の隙間による複数のスリットを形成する外周面を備えた円形状板により形成されたことを特徴とする請求項４又は請求項５に記載の暗騒音発生装置。
【請求項９】
抵抗部は、室内側に不織布を備えて構成されたことを特徴とする請求項４乃至請求項８のいずれか一項に記載の暗騒音発生装置。
【発明の詳細な説明】
【技術分野】
【０００１】
本発明は、室外からの生活音に対する暗騒音を室内に発生させる暗騒音発生方法及び暗騒音発生装置に関する。
【背景技術】
【０００２】
最近のマンション等の共同住宅においては、高断熱高気密化に伴い、建物外部から建物内部に入射する音のレベルが小さくなっており、住宅地では室内が夜間にＡ特性音圧レベルが２０ｄＢ台前半になることもある。
また、高断熱高気密化が進んだ建物内の十分な換気を実施するために、機械換気により建物内を連続して換気する建築基準法でも義務付けられた２４時間換気システムが知られている（特許文献１,２等参照）。
【先行技術文献】
【特許文献】
【０００３】
【特許文献１】特開２００２−３９５７９号公報
【特許文献１】特開２００７−１０１０７７号公報
【発明の概要】
【発明が解決しようとする課題】
【０００４】
上記のように建物外部から建物内部に入射する音のレベルが小さい環境の場合、室内において、室外からの歩行音、扉の開閉音、排水音等の生活音が聞こえてきて気になるという問題が生じている。
特に、２４時間換気システムとして、給気は自然給気とし、排気に排気ファンを使って強制排気を行う第３種換気方式を採用している建物においては、建物外部から室内に入射する音のレベルがより小さくなるため、室外からの生活音が聞こえ易くなる傾向にある。
本発明は、室外からの生活音が聞こえ難い室内環境を実現するための暗騒音発生方法及び暗騒音発生装置を提供するものである。尚、「室外からの生活音」とは、マンションにおける上層階や隣りの他住居からの生活音、一戸建ての建物における隣接する住宅からの生活音等のことを言う。
【課題を解決するための手段】
【０００５】
本発明に係る暗騒音発生方法は、２４時間換気システムとして建物外部と室内とを連通させた給気孔を介した自然給気を行うとともに排気ファンを使って強制排気を行う方式の建物において、給気孔の内側に空気が通過する際の抵抗となる抵抗部を設けることにより、当該給気孔を介して室内に流入する音の大きさを大きくするようにしたので、抵抗部を設けたことで給気孔を介して室内に流入する音の大きさを大きくできて、室外からの生活音が聞こえ難い室内環境を実現できる。
また、本発明に係る暗騒音発生方法は、２４時間換気システムとして建物外部と室内とを連通させた給気孔を介した自然給気を行うとともに排気ファンを使って強制排気を行う方式の建物において、給気孔における室内側の給気口に給気ファンを設けることにより、当該給気孔を介して室内に流入する音の大きさを大きくするようにしたので、給気ファンを駆動することで給気孔を介して室内に流入する音の大きさを大きくできて、室外からの生活音が聞こえ難い室内環境を実現できる。
また、本発明に係る暗騒音発生方法は、２４時間換気システムとして建物外部と室内とを連通させた給気孔を介した自然給気を行うとともに排気ファンを使って強制排気を行う方式の建物において、給気孔の内側に空気が通過する際の抵抗となる抵抗部を設けるとともに、当該給気孔における室内側の給気口に給気ファンを設けることにより、当該給気孔を介して室内に流入する音の大きさを大きくするようにしたので、給気ファンを２４時間連続駆動することにより、室外からの生活音が聞こえ難い室内環境を構築できるとともに、給気ファンによる換気量を減少させることができるので、冬季における建物外部から室内への冷気の導入や夏場における建物外部から室内への暖気の導入を緩和できるようになる。
また、本発明に係る暗騒音発生装置は、建物外部と室内とを連通させるために建物に設けられた給気孔と、建物内部の空気を建物外部に排気するために排気ファンを用いた排気手段と、給気孔の内側に設けられて給気孔の内側に空気が通過する際の抵抗となる抵抗部とを備えたので、抵抗部を備えたことにより、給気孔を介して室内に流入する音の大きさを大きくできて、室外からの生活音が聞こえ難い室内環境を実現できる。
また、給気孔における室内側の給気口に設けられた給気ファンを備えた構成とすれば、給気ファンを２４時間連続駆動することにより、室外からの生活音が聞こえ難い室内環境を構築できるとともに、給気ファンによる換気量を減少させることができるので、冬季における建物外部から室内への冷気の導入や夏場における建物外部から室内への暖気の導入を緩和できるようになる。
また、抵抗部は、給気孔の建物外部側の給気口に近い位置に設けられた外部側抵抗板と、給気孔の室内側の給気口に近い位置に設けられた室内側抵抗板とを備え、外部側抵抗板が空気抵抗となる遮断面を形成し、かつ、室内側抵抗板が外部側抵抗板による遮断面よりも大きい面積の遮断面を有するとともに、空気の流れを制限するスリットを有する構成とした。
また、抵抗部は、断面円形の給気孔の内径に対応した外径に形成された円筒体と、当該円筒体の建物外部側に位置される開口部側の内面に取付けられた外部側抵抗板と、当該円筒体の室内側に位置される開口部側の内面に取付けられた室内側抵抗板とを備え、外部側抵抗板が、円筒体内の空気流路の半分を遮断する半円形板により形成され、室内側抵抗板が、円筒体の円の中心からずれた位置を中心とする円形孔と、円形孔の外周囲に形成された複数の円弧状のスリットとを備えるとともに、円筒体の内周面との間に円弧状の隙間による複数のスリットを形成する外周面を備えた円形状板により形成された。
また、抵抗部は、断面円形の給気孔の建物外部側の内面に取付けられた外部側抵抗板と、給気孔の室内側の内面に取付けられた室内側抵抗板とを備え、外部側抵抗板が、給気孔の空気流路の半分を遮断する半円形板により形成され、室内側抵抗板が、給気孔の円の中心からずれた位置を中心とする円形孔と、円形孔の外周囲に形成された複数の円弧状のスリットとを備えるとともに、給気孔の内周面との間に円弧状の隙間による複数のスリットを形成する外周面を備えた円形状板により形成された。
以上のような各抵抗部を備えたことで、空気が抵抗部を通過する際の抵抗が大きくなって、室外からの生活音がより聞こえ難い室内環境を構築できる。
また、抵抗部は、室内側に不織布を備えて構成されたので、給気孔内に導入された空気が不織布と衝突することによる抵抗により、室外からの生活音が聞こえ難い室内環境を実現できる。
【図面の簡単な説明】
【０００６】
【図１】暗騒音発生装置の給気孔側の構成を示す断面図（実施形態１）。
【図２】暗騒音発生装置の抵抗部を示す斜視図（実施形態１）。
【図３】室内側抵抗板及び外部側抵抗板を示す正面図（実施形態１）。
【図４】暗騒音発生装置の抵抗部を示す正面図及背面図（実施形態１）。
【図５】暗騒音発生装置の給気孔側の構成を示す断面図（実施形態２）。
【図６】実験結果を示す図。
【図７】実験結果を示す図。
【図８】実験に用いた各試験体の詳細を示す図。
【発明を実施するための形態】
【０００７】
実施形態１
２４時間換気システムを利用した実施形態１の暗騒音発生方法について説明する。
２４時間換気システムとしては、建物の外壁を貫通するように形成された給気孔の室内側の給気口に給気ファンを取付けて当該給気ファンにより室内に外気を強制給気するとともに排気孔の排気口に排気ファンを取付けて排気ファンにより強制排気を行う第１種換気方式、給気に給気ファンを使って強制給気を行い、排気は自然換気とする第２種換気方式、給気は自然給気とし、排気に排気ファンを使って強制排気を行う第３種換気方式がある。
【０００８】
実施形態１の暗騒音発生方法は、２４時間換気システムとして建物外部と室内とを連通させた給気孔を介した自然給気を行うとともに排気ファンを使って強制排気を行う方式、即ち、第３種換気方式を採用している建物において、給気孔を介して室内に流入する音の大きさを大きくして、室外からの生活音が聞こえ難い室内環境を実現するために、図１に示すように、給気孔１の内側に空気が通過する際の抵抗となる抵抗部２を設けるとともに、給気孔１における室内Ｒ側の給気口３に給気ファン４を内蔵した給気ユニット４Ａを設けるようにした。
【０００９】
即ち、実施形態１の暗騒音発生方法を実現する実施形態１の暗騒音発生装置は、図１に示すように、建物外部Ｆと室内Ｒとを連通させるために建物の外壁５に設けられた給気孔１と、室内Ｒの空気を建物外部Ｆに排気するための図外の排気ファンを用いた排気手段と、給気孔１の内側に設けられて給気孔１の内側に空気が通過する際の抵抗となる抵抗部２と、給気孔１における室内Ｒ側の給気口３に設けられた給気ファン４内蔵の給気ユニット４Ａとを備えた構成とした。
【００１０】
例えば、建物における各居室の外壁５に形成された給気孔１と、建物内部に設けられた図外の浴室、洗面室、トイレ等の天井や外壁に設置された排気ファンとを有し、建物外部Ｆから給気孔１を介して室内Ｒに取り込まれた空気を排気ファンを介して建物外部Ｆに排出するように構成された第３種換気方式の２４時間換気システムが採用された建物において、室内Ｒに居る人が室外からの生活音を聞こえ難くするための暗騒音を発生させる方法として、給気孔１の内側に抵抗部２を設けるとともに、当該給気孔１における室内Ｒ側の給気口３に給気ファン４を内蔵した給気ユニット４Ａを取付けるようにすることで、給気孔１を介して室内Ｒに流入する音の大きさを大きくした暗騒音を発生させるようにした。
【００１１】
給気孔１は、鉄筋コンクリート構造の建物の場合、外壁５を構築する際に、図外の型枠にパイプ６を取付けておいて型枠内にコンクリートを打設することにより外壁５を貫通して建物外部Ｆと室内Ｒとに連通するように設置されたパイプ６の内側空間により形成される。また、木造構造又は鉄骨構造の建物の場合も、外壁を貫通して建物外部Ｆと室内Ｒとに連通するように設置されたパイプ６の内側空間により給気孔１が形成される。
尚、給気孔１における建物外部Ｆ側の給気口７にはベントキャップ８が取り付けられる。
【００１２】
即ち、実施形態１の暗騒音発生装置は、２４時間換気システムとして第３種換気方式を採用しているマンション等の建物において、外壁５に形成されて建物外部Ｆと室内Ｒとを連通させる給気孔１の内側に空気が通過する際の抵抗となる抵抗部２を設けるとともに、給気孔１の室内側給気口３に給気ファン４を２４時間連続駆動させる給気ユニット４Ａを取付けて構成されたことによって、給気孔１の内側に抵抗部２を備えない場合と比べて、室内ＲのＡ特性音圧レベル（騒音レベル）を大きくするとともに、給気ファン４の駆動による換気量を減少させるようにした装置である。
尚、室内ＲのＡ特性音圧レベルが、室内側給気口３から１．５ｍの地点で３３〜３５ｄＢ程度となるようにするとともに、給気ファン４の駆動による換気量が１１ｍ３／ｈ程度となるようにすることが好ましい。
【００１３】
図１，図２に示すように、抵抗部２は、例えば、給気孔１を形成するパイプ６の内径に対応した外径に形成された円筒体２１と、当該円筒体２１の両端の開口部近傍にそれぞれ設けられる抵抗板として、室内側に位置されるように円筒体２１の一端開口部側の内面に取付けられた室内側抵抗板２２と、建物外部側に位置されるように円筒体２１の他端開口部側の内面に取付けられた外部側抵抗板２３とを備えた構成である。
【００１４】
室内側抵抗板２２は、図３に示すように、例えば、板厚０．１ｍｍ〜１ｍｍ程度でかつ直径寸法が円筒体２１の内周面の直径寸法と対応した寸法の円形板の外周における互いに９０°（中心角）離れた４箇所の部分を接続部２４として残して当該円形板の外周縁が外周に沿って数ｍｍ程度除去された円形状板の内側に円形孔２５が形成されて、かつ、当該円形孔２５の外周囲に複数の円弧状のスリット２６が形成された構成である。
円形孔２５は、中心２５Ｃが円形状板の中心２２Ｃ（＝円筒体２１の円の中心２２Ｃ）よりも下方に位置するように円形状板に形成された円形孔である。即ち、円形孔２５は、円形状板の中心２２Ｃより偏心して形成されている。つまり、円形孔２５と円形状板とが非同心円となるように形成されている。
円弧状のスリット２６は、円形孔２５の周囲のおける互いに１２０°離れた３箇所の部分を非スリット部２７として残し、当該３箇所の非スリット部２７を除いて互いに隣り合う非スリット部２７と非スリット部２７との間に亘って円形孔２５の外周に沿って設けられる。
そして、図２；図４に示すように、室内側抵抗板２２の各接続部２４と円筒体２１の内周面とが溶接により接続されることにより、互いに隣り合う接続部２４と接続部２４との間に位置する室内側抵抗板２２の外周面と円筒体２１の内周面との間に数ｍｍ程度の円弧状の隙間によるスリット（外周側スリット）２８が形成される。
また、図３に示すように、外部側抵抗板２３は、例えば、板厚０．１ｍｍ〜１ｍｍ程度でかつ直径寸法が円筒体２１の内周面の直径寸法に対応した寸法の半円形板により形成される。
そして、図２；図４に示すように、外部側抵抗板２３の半円の円弧外周面２９と円筒体２１の内周面とが溶接により接続されることにより、外部側抵抗板２３の弦３０と円筒体２１の内周面との間に半円の開口（流通孔）３１が形成される。
即ち、抵抗部２は、断面円形の給気孔１の内径に対応した外径に形成された円筒体２１と、当該円筒体２１の建物外部Ｆ側に位置される開口部側の内面に取付けられた外部側抵抗板２３と、当該円筒体２１の室内側に位置される開口部側の内面に取付けられた室内側抵抗板２２とを備え、外部側抵抗板２３が、円筒体２１内の空気流路の半分を遮断する半円形板により形成され、室内側抵抗板２２が、円筒体２１の円の中心２２Ｃからずれた位置を中心２５Ｃとする円形孔２５と、円形孔２５の外周囲に形成された複数の円弧状のスリット２６とを備えるとともに、円筒体２１の内周面との間に円弧状の隙間による複数のスリット（外周側スリット）２８を形成する外周面を備えた円形状板により形成される。
つまり、抵抗部２は、外部側抵抗板２３が空気抵抗となる遮断面を形成し、かつ、室内側抵抗板２２が外部側抵抗板２３による遮断面よりも大きい面積の遮断面を有するとともに、空気の流れを制限するスリット２６，２８を有する構成とした。
【００１５】
そして、例えば、図１に示すように、外部側抵抗板２３がパイプ６内の建物外部Ｆ側に位置されて室内側抵抗板２２がパイプ６内の室内Ｒ側に位置され、かつ、外部側抵抗板２３の円弧外周面２９と円筒体２１の内周面との間に形成された半円の開口３１が建物の上方に位置されて室内側抵抗板２２に形成された円形孔２５が建物の下方に位置されるように、室内Ｒ側から円筒体２１をパイプ６内に挿入して配置した後に、室内Ｒ側から円筒体２１の室内Ｒ側の開口外周縁とパイプ６の内周面とを溶接により固定することにより、パイプ６内に抵抗部２が設置される。
これにより、外部側抵抗板２３及び室内側抵抗板２２の板面は、建物外部Ｒから給気孔１内に導入される空気を遮断する遮断面となり、建物外部Ｆから給気孔１内に導入される空気は、半円の開口３１、円形孔２５、スリット２７，２８を経由して室内Ｒに流入することになる。
そして、パイプ６内に抵抗部２を設置した後に、給気孔１における室内Ｒ側の給気口３に給気ファン４内蔵の給気ユニット４Ａを取付ける。
【００１６】
従って、実施形態１の暗騒音発生装置によれば、図１に示すように、給気ファン４の駆動により建物外部Ｆからベントキャップ８の下側開口８ａを経由して給気孔１内に導入される空気Ａは、半円の開口３１、円形孔２５、スリット２７，２８を経由して給気ファン４に到達し、給気ファン４で吸引されて室内Ｒに導入され、室内Ｒを循環した後に図外の排気ファン及び排気ダクト等を備えた排気手段により建物外部Ｆに排出される。
【００１７】
実施形態１の暗騒音発生装置によれば、給気孔１の室内側給気口３に給気ファン４を備えたことで、給気ファン４の駆動音により、室内ＲのＡ特性音圧レベル（騒音レベル）が大きくなるとともに、給気孔１の内側に抵抗部２を備えたことで、給気孔１内に導入された空気が外部側抵抗板２３及び室内側抵抗板２２の遮断面に衝突することによる抵抗、スリット２７，２８を通過する際の抵抗等によって、給気孔１の内側に抵抗部を備えない場合と比べて、室内ＲのＡ特性音圧レベルが大きくなり、かつ、給気ファン４による換気量が減少する。つまり、外部側抵抗板２３が空気抵抗となる遮断面を形成し、かつ、室内側抵抗板２２が外部側抵抗板２３による遮断面よりも大きい面積の遮断面を有するとともに、空気の流れを制限するスリット２６，２８を有するため、空気が抵抗部２を通過する際の抵抗が大きくなって、室内ＲのＡ特性音圧レベルが大きくなるとともに、給気ファン４による換気量が減少する。
即ち、高断熱高気密化に伴い、建物外部から建物内部に入射する音のレベルが小さくなっているマンション等の建物の室内のＡ特性音圧レベルを大きくできて、室外からの生活音が聞こえ難い室内環境を実現することが可能となる。例えば、マンション内の任意の住居において上層階や隣りの他住居からの生活音が聞こえ難い室内環境を実現することが可能となる。
また、給気孔１の内側に抵抗部２を備えたことによって給気ファン４による換気量を減少させることができるので、給気ファンを２４時間駆動していることに伴う、冬季における建物外部Ｆから室内Ｒへの冷気の導入や夏場における建物外部Ｆから室内Ｒへの暖気の導入を緩和できるようになる。
つまり、実施形態１の暗騒音発生装置によれば、給気ファン４を２４時間連続駆動することにより、室外からの生活音が聞こえ難い室内環境を構築できるとともに、冬季における建物外部Ｆから室内Ｒへの冷気の導入や夏場における建物外部Ｆから室内Ｒへの暖気の導入を緩和できるようになる。
また、建物外部Ｆ側に位置される開口３１が建物の上方に位置されるようにしたことで、建物外部Ｆからベントキャップ８の下側開口８ａを経由して給気孔１に導入される雨が上方に位置する開口３１に届き難くなり、雨が室内Ｒに入り込み難いようになる。
【００１８】
実施形態２
実施形態１では、抵抗部２として、円筒体２１の両端の開口部近傍にそれぞれ外部側抵抗板２３，室内側抵抗板２２を備えた構成のものを例示したが、図５に示すように、給気孔１を形成するパイプ６の建物外部側給気口７に近い位置の内面に外部側抵抗板２３を直接固定するとともに、室内側給気口３に近い位置の内面に室内側抵抗板２２を直接固定するようにして構成された抵抗部２Ａであってもよい。
即ち、抵抗部２Ａは、断面円形の給気孔１の建物外部側の内面に取付けられた外部側抵抗板２３と、給気孔１の室内側の内面に取付けられた室内側抵抗板２２とを備え、外部側抵抗板２３が、給気孔１の空気流路の半分を遮断する半円形板により形成され、室内側抵抗板２２が、給気孔１の円の中心からずれた位置を中心とする円形孔２５と、円形孔２５の外周囲に形成された複数の円弧状のスリット２６，２６…とを備えるとともに、給気孔１の内周面との間に円弧状の隙間による複数のスリット２８，２８…を形成する外周面を備えた円形状板により形成される。
この場合、外部側抵抗板２３がパイプ６内の建物外部Ｆ側に位置されてかつ建物の下方に位置された状態で室内Ｒ側から外部側抵抗板２３の外周縁とパイプ６の内周面とが溶接により固定された後に、室内側抵抗板２２がパイプ６内の室内Ｒ側に位置されて円形孔２５が建物の下方に位置された状態で室内Ｒ側から室内側抵抗板２２の外周縁とパイプ６の内周面とが溶接により固定されることにより、給気孔１の内側に抵抗部２Ａを形成できる。
実施形態２でも、実施形態１と同様に、室内ＲのＡ特性音圧レベルが大きくなり、かつ、給気孔１の内側に抵抗部を備えない場合と比べて給気ファン４による換気量が減少するので、室外からの生活音が聞こえ難い室内環境を構築できるとともに、冬季における建物外部Ｆから室内Ｒへの冷気の導入や夏場における建物外部Ｆから室内Ｒへの暖気の導入を緩和できるようになる。
【００１９】
実施形態３
暗騒音発生装置は、実施形態１で説明した抵抗部２の室内側抵抗板２２よりも室内側に位置する円筒体２１の内周面に沿って図外の不織布を有した抵抗部、あるいは、実施形態２で説明した抵抗部２の室内側抵抗板２２よりも室内側に位置する給気孔１の内周面に沿って図外の不織布を有した抵抗部を備えた構成であってもよい。
実施形態３でも、給気孔１内に導入された空気が不織布と衝突することによる抵抗によって、室内ＲのＡ特性音圧レベルが大きくなり、かつ、給気孔１の内側に抵抗部を備えない場合と比べて給気ファン４による換気量が減少するので、室外からの生活音が聞こえ難い室内環境を構築できるとともに、冬季における建物外部Ｆから室内Ｒへの冷気の導入や夏場における建物外部Ｆから室内Ｒへの暖気の導入を緩和できるようになる。
【００２０】
尚、実施形態による暗騒音発生装置の効果を確認するため、以下の測定方法によって、音圧レベルと換気量とを測定した。
・測定方法
無響室内に外壁に模擬した模型を設置し、高さ１３００ｍｍの位置が中心となるように、パイプを外壁に貫通させて給気孔を形成し、給気孔の一端側給気口に給気ファンを内蔵した給気ユニットを取付けるとともに、給気孔の他端側給気口にベントキャップを取付けた実験装置を作製し、パイプ６内に、抵抗部２を設けない試験体１（即ちパイプ６内に何も設けない試験体）、実施形態１の抵抗部２を設けた試験体２〜６、実施形態３の抵抗部２を設けた試験体７を作り、各試験体１〜７での、Ａ特性音圧レベル及びオクターブバンド音圧レベルと換気量とを測定した。
Ａ特性音圧レベル及びオクターブバンド音圧レベルの測定では、マイクロフォンのヘッドケースの中心位置の高さを、給気ユニットの位置から１ｍ離された位置において高さ１３００ｍｍの位置に固定して、給気ファンを駆動した場合の音圧レベルを測定した。尚、給気ファンの稼働音は定常定期な音であるため、１５秒間の等価音圧レベルを求めた。
換気量は、風量計を用いて測定した。
尚、給気ユニットは、三菱電機製、Ｖ−０８ＰＱＦＦ３を使用し、ベントキャップは、一般的な市販品を使用した。
実験に使用した給気ユニットの室内側の開口は上部及び側面に設置されていて、側面の開口はシャッターにより閉じることができる構造になっていたため、開口がすべて開いている全開状態で測定を行った。また、実験に使用した給気ユニットでは、弱運転及び強運転の２パターンの運転方法があったが、弱運転ではファンの音が小さかったため、強運転で実験を行った。尚、給気ユニットの強運転時の風量は３０ｍ３／ｈ（カタログ値）である。
【００２１】
音圧レベルの測定結果を図６（ａ），（ｂ）に示し、換気量の測定結果を図６（ｃ）に示し、音圧レベルの測定結果を示すグラフを図７（ａ），（ｂ）に示す。
尚、目標とは、被験者に音を実際に聞かせて良いと判断された周波数特性及び被験者に良いと判断された換気量である。
また、試験体２〜７の詳細は図８に示す通りである。図８において、室内側抵抗版２２の径とは、図３（ａ）に示す径寸法ａ（接続部２４を除いた円形の径）の事である。錆止めとは、溶接部分の錆止めの事であり、はけ塗りとは、はけを用いて溶接部分に錆止材を塗った錆止め、どぶ漬けとは、錆止材の中に試験体を丸ごと浸した錆止めのことである。不織布ありは、室内側抵抗板２２よりも室内側に位置する円筒体２１の内周面に沿って図外の不織布を取付けた構成の試験体（実施形態３）である。
また、試験体２〜７において、円筒体２１の内径は９５ｍｍ、室内側抵抗板２２の円形孔２５の径は４０ｍｍ、円形孔２５と円弧状のスリット２６との間の距離は５ｍｍ（円弧状のスリット２６の内径は５０ｍｍ）、隣り合う円弧状のスリット２６，２６間の距離は円形孔２５の中心角２０°の円弧に対応した距離、円弧状のスリット２６のスリット幅は２ｍｍ、円形孔２５の中心と円筒体２１の中心との間の距離は１１．５ｍｍ、円筒体２１、室内側抵抗板２２、外部側抵抗板２３の板厚寸法は０．６ｍｍである。
【００２２】
図６（ａ），（ｂ）、図７（ａ），（ｂ）からわかるように、給気孔１内に抵抗部２を設けない試験体１に比べて、給気孔１内に抵抗部２を備えた試験体２〜７では、Ａ特性音圧レベルが３２．３ｄＢ以上であり、給気孔１内に抵抗部２を設けない試験体１に比べて、室内ＲのＡ特性音圧レベルを目標に近付けることができた。
また、試験体２〜７では、換気量が１７．５ｍ３／ｈ以下であり、試験体１に比べて、換気量を目標に近付けることができた。
【００２３】
即ち、実験結果から、給気孔１内に抵抗部２を設けた場合、給気孔１の内側に抵抗部２を設けない場合と比べて、Ａ特性音圧レベルが大きくなるとともに、換気量が小さくなっており、給気ファンを２４時間駆動することにより、他住居からの生活音が聞こえ難い環境を構築できるとともに、冬季における建物外部Ｆから室内Ｒへの冷気の導入や夏場における建物外部Ｆから室内Ｒへの暖気の導入を緩和できるようになることを実証できた。
【００２４】
また、上記では、２４時間換気システムとして建物外部と室内とを連通させた給気孔を介した自然給気を行うとともに排気ファンを使って強制排気を行う方式の建物において、給気孔の内側に空気が通過する際の抵抗となる抵抗部を設けるとともに、当該給気孔における室内側の給気口に給気ファンを設けることにより、当該給気孔を介して室内に流入する音の大きさを大きくするようにした暗騒音発生方法について説明したが、２４時間換気システムとして建物外部と室内とを連通させた給気孔を介した自然給気を行うとともに排気ファンを使って強制排気を行う方式の建物において、給気孔の内側に空気が通過する際の抵抗となる抵抗部を設けることにより、当該給気孔を介して室内に流入する音の大きさを大きくするようにしたり、あるいは、給気孔における室内側の給気口に給気ファンを設けることにより、当該給気孔を介して室内に流入する音の大きさを大きくするようにしてもよい。
即ち、本発明の暗騒音発生方法は、２４時間換気システムとして第３種換気方式を採用した建物において、給気孔の内側に抵抗部を設けるだけであっても、抵抗部を設けたことで給気孔を介して室内に流入する音の大きさを大きくできて、室外からの生活音が聞こえ難い室内環境を実現できる。
また、本発明の暗騒音発生方法は、２４時間換気システムとして第３種換気方式を採用した建物において、給気孔における室内側の給気口に給気ファンを設けるだけであっても、給気ファンを駆動することで給気孔を介して室内に流入する音の大きさを大きくできて、室外からの生活音が聞こえ難い室内環境を実現できる。
【００２５】
また、本発明の暗騒音発生装置は、建物外部と室内とを連通させるために建物に設けられた給気孔と、建物内部の空気を建物外部に排気するために排気ファンを用いた排気手段と、給気孔の内側に設けられて給気孔の内側に空気が通過する際の抵抗となる抵抗部とを備えた構成、即ち、給気ファンを備えない構成であってもよく、当該構成であっても、抵抗部を備えたことで給気孔を介して室内に流入する音の大きさを大きくできて、室外からの生活音が聞こえ難い室内環境を実現できる。
【００２６】
また、本発明の暗騒音発生方法及び暗騒音発生装置は、２４時間換気システムとして建物外部と室内とを連通させた給気孔を介した自然給気を行うとともに排気ファンを使って強制排気を行う方式が採用された一戸建ての建物にも適用可能である。この場合、一戸建ての建物において隣接する住居からの生活音が聞こえ難い室内環境を実現することが可能となる。
【００２７】
尚、給気ユニット４Ａは、冬季、強風時、台風時等において、建物外部Ｆからベントキャップ８の下側開口８ａを経由して給気孔１内に導入される空気Ａを室内Ｒに取り込まないようにできる開閉機能を備えたり、あるいは、室内Ｒに放出する空気Ａの温度を上げるようにできる暖気機能を備えた構成のものを用いることが望ましい。
開閉機能としては、例えば、図１に示すように、室内側給気口３を覆って室内側給気口３よりも室内Ｒ側に突出するように取り付けられる給気ユニット４Ａのカバー４１として、空気Ａを室内Ｒに放出する開口４２を開閉するための図外のシャッター等の開閉機構を備えたものを用いればよい。この場合、冬季、強風時、台風時等においては、開口４２を閉じて、冷気や風を室内Ｒに取り込まないようにする。
暖気機能としては、例えば、図１に示すように、下面４３に室内Ｒの空気を取り込むための取込口４４を備えたカバー４１を用いればよい。この場合、例えば冬季において開口４２を解放することでカバー４１内を負圧にしてカバー４１の下部の取込口４４を介して室内Ｒからの暖気をカバー４１内に導入することにより、建物外部Ｆからベントキャップ８の下側開口８ａを経由してカバー４１内に取り込まれる冷気が温められてカバー４１の上部の開口４２から室内Ｒに放出される。
また、図１に示すように、開閉機能又は暖気機能を実現するカバー４１は、下面４３の位置を室内側給気口３の下面の位置に合わせた構成とすることで、カバー４１の内側下部に塵や埃が溜まりにくい構成とすることが望ましい。
【符号の説明】
【００２８】
１  給気孔、２，２Ａ  抵抗部、３  室内側の給気口、４  給気ファン、
７  建物外部側の給気口、２１  円筒体、２２  室内側抵抗板、２３  外部側抵抗板、
２５  円形孔、２６，２８  スリット、流通孔、Ｆ  建物外部、Ｒ  室内。
【図１】
2018136091.tif 000003
【図２】
2018136091.tif 000004
【図３】
2018136091.tif 000005
【図４】
2018136091.tif 000006
【図５】
2018136091.tif 000007
【図６】
2018136091.tif 000008
【図７】
2018136091.tif 000009
【図８】
2018136091.tif 000010